(57)【特許請求の範囲】
【請求項１】
路面に露出して埋設され、進路方向に投光する照射プリズムを備え、飛行機の走行進路を案内する誘導灯を洗浄する洗浄装置であって、
作業車に連結される支持部材と、
この支持部材の下部に上下動自在に支持され、下端に前記誘導灯への位置決め部材を備えた可動杆と、
前記支持部材に固定されて、支持部材の前後両側へ延出する横杆と、
基端部が可動杆の上部に上下方向に回動自在に軸支され、自由端に回転駆動されるロータリーブラシとを備え、
中間部に前記横杆が長手方向へ移動自在に連結し、支持部材に対する可動杆の上側への相対移動に伴い、前記位置決め部材により位置決めされた位置においてロータリーブラシを誘導灯の照射プリズムに押し当てる一方、支持部材に対する可動杆の下側への相対移動に伴い、ロータリーブラシを誘導灯から離す前後一対のアーム部材とを具備するものにおいて、
前記ロータリーブラシは、取付部材を介して前記アーム部材に支持され、
前記取付部材は、前記アーム部材に対してそれの延出方向に取り付け位置を変更可能に支持され、アーム部材の延出方向に直交する面に沿って伸びる長孔を有する取付け枠と、
この取付け枠に、前記長孔を貫通する止めボルトにより面方向に回転位置を変更可能に螺着される調整板と、
この調整板に回動操作可能に支持されるねじ軸と、
前記ロータリーブラシを支持して前記ねじ軸に螺合し、前記調整板から突出する複数の係止ピンのいずれかに選択的に係止することによって、ねじ軸上に位置変更可能に固定されるナット部材と、を具備することを特徴とする滑走路の誘導灯洗浄装置。
【発明の詳細な説明】
【０００１】
【産業上の利用分野】
航空機の進路を誘導するために空港滑走路及びこれに通ずる連絡路の中央線上に一列に設けられた誘導灯の照射プリズムを洗浄するための洗浄装置に関するものである。
【０００２】
【従来の技術】
一般に、誘導灯Ｌは、図１２及び図１３に示すように、光源Ｌｏを内蔵する円筒部Ｌ１の上部に、円盤状の蓋体Ｌ２が固着されて構成される。蓋体Ｌ２は、平坦な頂部から周縁部に若干の傾斜面が形成されており、前後部に投光用切欠きＬ３を有する。この切欠きＬ３の内側には照射プリズムＬ４を備えている。また、蓋体Ｌ２には四ヶ所にほぼ等間隔に凹部Ｌ５を有し、蓋体Ｌ２を円筒部Ｌ１に固定するためのボルトの頭部あるいは袋ナットを収めるようになっている。そして、この誘導灯Ｌは、滑走路面の埋設穴Ｇの開口縁に設けられたフランジＧ１に蓋体Ｌ２を路面に露出させた状態で固定される。
【０００３】
従来、このような誘導灯Ｌの照射プリズムＬ４の洗浄作業には、高圧水洗浄装置を搭載し、前端部に噴射ノズルが設置された作業車が用いられる本願出願人提案した車載型のものがある（特開平１０−７６２３４号）。作業者は、誘導灯の手前で作業車を停止させて、運転席から支持の取っ手を持って装置先端部を誘導灯に位置決めし、位置決めすると自動的にブラシが照射プリズムに当たり、これを回転駆動させて汚れを拭き取ることができる。
【０００４】
【発明が解決しようとする課題】
誘導灯Ｌは、空港滑走路や連絡路の設置箇所に応じてそれ自体の大きさや照射プリズムの位置又は数が異なるので、これに対応してブラシの取り付け位置を変更しなければならない。しかし、上記従来の洗浄装置では、取り付け位置を変更できず、ブラシ自体を変更するか、手作業で洗浄しなければならなず、作業効率が悪いという問題がある。
そこで、本発明は、進路上の設置個所に応じて異なる誘導灯の大小や照射プリズムの位置に対応して、ブラシの取付位置を容易に調整でき、誘導灯の洗浄作業の効率を向上させる洗浄装置を提供することを課題としている。
【０００５】
【課題を解決するための手段】
上記課題を解決するため、この発明においては、路面に露出して埋設され、進路方向に投光する照射プリズムを備え、飛行機の走行進路を案内する誘導灯Ｌを洗浄する洗浄装置において、作業車Ｔに連結される支持部材１１の下部に上下動自在に可動杆１４を支持し、下端に誘導灯Ｌへの位置決め部材１５を設け、支持部材１１に前後両側へ延出する横杆１２を固定し、前後一対のアーム部材２０の基端部を可動杆１４の上部に上下方向に回動自在に軸支し、自由端に回転駆動されるロータリーブラシ３５を設け、中間部に横杆１２を長手方向へ移動自在に連結し、支持部材１１に対する可動杆１４の上側への相対移動に伴い、前記位置決め部材１５により位置決めされた位置においてロータリーブラシ３５を誘導灯Ｌの照射プリズムＬ４に押し当てる一方、支持部材１１に対する可動杆１４の下側への相対移動に伴い、ロータリーブラシ３５を誘導灯Ｌから離すように構成する。ロータリーブラシ３５は、取付部材２２を介してアーム部材２０に取り付ける。取付部材２２には、取付け枠２４と、調整板２９と、ねじ軸３１と、ナット部材３２とを具備させる。取付け枠２４は、アーム部材２０に対してそれの延出方向に取り付け位置を変更可能に支持し、アーム部材２０の延出方向に直交する面に沿って伸びる長孔２７を設ける。調整板２９は、取付け枠２４に、長孔２７を貫通する止めボルト２８で面方向に回転位置を変更可能に螺着する。ねじ軸３１は、調整板２９に回動操作可能に支持する。ナット部材３２は、ロータリーブラシ３５を支持させて、ねじ軸３１に螺合させ、調整板２９から突出する複数の係止ピン３３のいずれかに選択的に係止させることによって、ねじ軸３１上の位置を変更可能に構成する。
【０００６】
【発明の実施の形態】
本発明の実施の一形態を図面を参照して説明する。
図１及び図２において、洗浄機本体１は、作業車Ｔ上に設けられたバランサＢｅのアームの先端に連結されている。この車載バランサＢｅのアームは作業車Ｔの運転席の側方に延出し、基端軸を中心に回転すると共に上下動し、洗浄機本体１を前後左右上下方向へ自由に移動させることができる。
【０００７】
図３乃至図５に示すように、洗浄機本体１の上部には、側部のガイド部材３でガイドされて上下に伸縮自在の箱形の枠体２が結合している。枠体２内の上部には、洗浄機本体１を昇降させるために、作業車Ｔ上に設けられた車載コンプレッサＣｐに連通するエアーシリンダ４が設けられている。枠体２の下部内において、エアーシリンダ４のロッド４ａには下方にロータリーアクチュエータ５が設けられ、これにカップリング６を介して連結軸７が結合している。連結軸７は軸受け８で軸線周りに回動自在に連結している。連結軸７は、ロータリーアクチュエータ５によって回転位置を変更可能である。枠体２の下面には１８゜ずつ異なる水平回転位置に近接スイッチ９が夫々設けられている。連結軸７の下端には揺動結合部材１０が結合している。揺動支持部材１０は、図に示すように、上部の固定プレート１０ａにリンクボール１０ｂが揺動自在に支持され、このリンクボール１０ｂに固定された可動プレート１０ｃと固定プレート１０ａとの間にばね１０ｄが介在している。
【０００８】
図６に示すように、揺動支持部材１０には、洗浄機本体１の支持部材１１が結合している。支持部材１１は、図７に示すように、両者間に円筒空間及び割を形成する対向する一対の分割体１１ａ，１１ａから成る。支持部材１１の下端には横杆１２が設けられている。横杆１２は取付け筒１２ａの両側に対向して一対固着され、支持部材１１の下端部から前後に水平に延出している。横杆１２，１２の端部間には摺動筒１３が回動自在に枢着されている。
【０００９】
支持部材１１及び取付け筒１２ａ内には可動杆１４が上下に摺動自在に挿入されている。可動杆１４の下限位置は、上端に前後に突出した枢着舌片１４ａによって取付け筒１２ａに、上下位置は揺動支持部材１０に規制される。可動杆１４の下端には、位置決め部材１５が固着されている。位置決め部材１５は、図８及び図９に示すように、前後部に誘導灯Ｌの投光用切欠きＬ３に対応する切欠き部１６ａを有する水平板１６と、誘導灯Ｌの凹部Ｌ５の袋ナットＮに対応して水平板１６の四隅部に突設された係合突子１７とを有する。係合突子１７は袋ナットＮの外形に対応する凹みを有する。係合突子１７が袋ナットＮにはまると水平板１６が誘導灯Ｌの頂部に当接し、洗浄機１が位置決めされる。可動杆１４の下端部にはストッパ１４ｂが設けられており、このストッパ１４ｂと横杆１２の取付け筒１２ａとの間には圧縮ばね１９が介在しており、可動杆１４を支持部材１１に対して下方へ付勢している。
【００１０】
可動杆１４の枢着舌片１４ａには、前後に一対のアーム部材２０，２０の基端が回動自在に枢着されている。アーム部材２０には摺動筒１３が軸線方向へ摺動自在に嵌合している。従って、摺動筒１３がアーム部材２０に沿って移動すればアーム部材２０が基端を中心に前後に回動してアーム部材２０，２０の相互間が開閉する。
【００１１】
アーム部材２０の自由端部には、緩衝支持部材２１及び取付部材２２を介してロータリーブラシ３５が取り付けられている。緩衝支持部材２１は、アーム部材２０に結合される支持枠２１ａを有する。また、支持枠２１ａには取付部材２２の連結片２３をアーム部材２０側に押す圧縮ばね２１ｂが係止されている。
【００１２】
取付部材２２の連結片２３はアーム部材２０の延長方向に伸び、アーム部材２０の回動方向に平行に並んで一対設けられている。この連結片２３の一端部は支持枠２１ａに、他端部は取付け枠２４にアーム部材２０の回動方向へ回動自在に夫々枢着されている。連結片２３の途上には取付け枠２４との長手方向の連結位置を選択可能な四つの調整孔２３ａが間隔を置いて設けられている。図１０及び図１１に示すように、取付け枠２４は、連結片２３を間に軸支する対向一対のブラケット２５が枠板２６上に立設されて成る。枠板２６には横方向の円弧状の長孔２７が設けられている。長孔２７には、止めボルト２８が夫々貫通する。枠板２６の下面には長孔２７を貫通する止めボルト２８が螺合する調整板２９が相対角度変更可能に固定される。この調整板２９の両端部には支持片３０が突設されており、その相互間にねじ軸３１が回転自在に支持されている。このねじ軸３１にはロータリーブラシ３５を支持するナット部材３２が螺合する。ナット部材３２は、調整板２９から突出する複数の係止ピン３３が択一的に係止する凹部３４を有する。
【００１３】
ナット部材３２に支持されたロータリーブラシ３５はスピードコントローラ付きエアモータ３６で回転駆動される。ロータリーブラシ３５は圧縮ばね２１ｂによって洗浄対象に対して弾力的に接触する。前後一対のロータリーブラシ３５，３５は、可動杆１４が上限位置に達すると、誘導灯Ｌの前後の照射プリズムＬ４にほぼ直角に接触するようになっている。
【００１４】
エアモータ３６は作業車Ｔ上の発電機付きコンプレッサＣｐに接続されている。また、支持枠２１ａには、エアー噴射用ノズル３７及び洗浄水噴射用ノズル３８が横方向に並んで取り付けられている。各ノズル３７，３８は可動杆１４が下限位置にあるとき水平板１６の切欠き部１６ａに臨み、従って洗浄機本体１が誘導灯Ｌに装着された状態で照射プリズムＬ４に向かうように配置されている。このノズル３７，３８は発電機付きコンプレッサＣｐ及び水タンクＴｗも可能に連通しており、エアーや水を照射プリズムＬ４に吹き付けるようになっている。
【００１５】
図１及び図２に示すように、作業車Ｔの荷台上には、発電機付きコンプレッサＣｐ、水タンクＴｗ、補助タンクＴａ、制御盤Ｃｔ及び収納カバーＣｖが設けられている。収納カバーＣｖは、作業車Ｔの作業現場への移動時に洗浄機本体１を収納するためのものであり、枠体２を固定するクランプＣ１を備えている。なお、作業用の制御電力等は発電機付きコンプレッサＣｐの発電電力による。また、バランサのＢｅの操作は作業車Ｔ内の操作ボックスＢｘで行う。
【００１６】
この洗浄装置においては、収納カバーＣｖ内に洗浄機本体１を収容してクランプＣ１で固定し、作業車Ｔで作業現場である滑走路に移動し、作業現場で作業車Ｔを停止させる。装置の操作スイッチを投入して、バランサＢｅを操作して収納カバーＣｖから洗浄機本体１を出す。運転席上で窓から手を出して取っ手を持って操作し洗浄機本体１を位置決めの微調整操作を行い、誘導灯Ｌ上に位置決め部材１５を配置する。係合突子１７が誘導灯Ｌの袋ナットＮにはまって、水平板１６が誘導灯Ｌの上面に接触したら、バランサＢｅをロックして自動的に洗浄動作を開始する。
【００１７】
位置決めされた状態では、可動杆１４は自重及び圧縮ばね１９で支持部材１１に対して下限位置にあり、ノズル３７，３８が誘導灯Ｌの照射プリズムＬ４に向いている。洗浄作業は先ず、ノズル３７によりエアーブローを行って照射プリズムＬ４面のちり、埃を吹き飛ばす。次に、ノズル３８により水を照射プリズムＬ４面に吹き付ける。次いで、エアシリンダ４によりロータリーアクチュエータ５以下を下降させると、圧縮ばね１９を圧縮しながら支持部材１１が可動杆１４に対して相対的に下降し、これに伴って横杆１２と共にアーム部材２０に沿って摺動筒１３が下降するので、アーム部材２０，２０間が狭まり、ロータリーブラシ３５が照射プリズムＬ４に接触する。この状態でロータリーブラシ３５がエアモータ３６で回転駆動されて照射プリズムＬ４を磨く。このロータリーブラシ３５は、ロータリーアクチュエータ５によって照射プリズムＬ４のほぼ中央に垂直に押し当てられ、正逆１８゜の角度範囲で旋回往復移動すると共に反転しながら回転する。ロータリーアクチュエータ５は、近接スイッチ９で旋回位置を検知しつつ揺動制御される。次に、エアシリンダ４によりロータリーアクチュエータ５以下を上昇させ、ロータリーブラシ２４を照射プリズムＬ４から離してから、ノズル３８で水を吹き付けて汚れを飛ばし、ノズル３７でエアーにより水を吹き飛ばす。以上の洗浄動作が完了すると、バランサＢｅのロックが解除されるので、バランサＢｅを操作して、洗浄機本体１を上げ、作業車Ｔを隣の誘導灯Ｌに移動させる。そして、先と同様にして作業車Ｔで誘導灯Ｌを次々に洗浄していく。
【００１８】
飛行機の連絡路においてカーブなどにより設置個所により大きさや形状などが異なる誘導灯Ｌが設けられている場合、これに応じてロータリーブラシ３５の取付位置を取付部材２２で変更する。取付部材２２は、連結片２３の調整孔２３ａを適宜選択することにより、ロータリーブラシ３５の取付位置をアーム部材２０の延長方向に調整できる。また、枠板２６の長孔２７内で止めボルト２８の位置を変更すれば、調整板２９と共にロータリーブラシ３５の相対角度を調整できる。さらに、ねじ軸３１を回転させれば軸上をナット部材３２が変位し、いずれかの係止ピン３３が凹部３４に落ち込んで固定されるので、ロータリーブラシ３５のねじ軸３１方向の位置を調整できる。
【００１９】
最後の誘導灯Ｌの洗浄作業が終了したら、バランサＢｅを操作して収納カバーＣｖ内に洗浄機本体１を収納してクランプＣ１で固定し、制御盤Ｃｔ上のスイッチをＯＦＦして作業の終了操作を行う。
なお、本実施形態では洗浄装置を航空機の走行進路に埋設された誘導灯に適用したが、地上での航空機の進路を示す進入灯や停止位置を示す停止灯、あるいは進路の終端位置を示す末端灯などの空港施設内に埋設された同様の灯光体に広く適用できる。
【００２０】
【発明の効果】
以上のように、本発明は、ブラシの取り付け位置を変更することができるので、航空機の走行進路に応じて誘導灯の大小や照射プリズムの位置が変更されても、これに対応することができ、確実に汚れを落とすことができ、作業効率も向上するという効果を有する。
【図面の簡単な説明】
【図１】作業車の正面図である。
【図２】作業車の平面図である。
【図３】本発明に係る洗浄装置の正面図である。
【図４】洗浄装置の側面図である。
【図５】洗浄時の洗浄装置の正面図である。
【図６】洗浄機本体の正面図である。
【図７】図６のVII−VII線断面図である。
【図８】位置決め部材の平面図である。
【図９】位置決め部材の側面図である。
【図１０】取付部材の正面図である。
【図１１】取付部材の平面図である。
【図１２】誘導灯の平面図である。
【図１３】誘導灯の縦断面図である。
【符号の説明】
１    洗浄機本体
１０    揺動結合部材
１１    支持部材
１２    横杆
１３    摺動筒
１４    可動杆
１５    位置決め部材
２０    アーム部材
２２    取付部材
２３    連結片
２３ａ  調整孔
２４    取付け枠
２６    枠板
２７    長孔
２８    止めボルト
２９    調整板
３１    ねじ軸
３２    ナット部材
３３    係止ピン
３５    ロータリーブラシ
Ｔ    作業車
Ｂｅ  バランサ
Ｌ    誘導灯
Ｌ３  切欠き部
Ｌ４  照射プリズム
Ｌ５  凹部
【図１】
0003877634.tif 000002
【図２】
0003877634.tif 000003
【図３】
0003877634.tif 000004
【図４】
0003877634.tif 000005
【図５】
0003877634.tif 000006
【図６】
0003877634.tif 000007
【図７】
0003877634.tif 000008
【図８】
0003877634.tif 000009
【図９】
0003877634.tif 000010
【図１０】
0003877634.tif 000011
【図１１】
0003877634.tif 000012
【図１２】
0003877634.tif 000013
【図１３】
0003877634.tif 000014